(57)【要約】  【課題】  筐体からカバーが意図せずに抜き取られるのを防止する機能を向上することのできるカバー開閉機構を提供する。  【解決手段】  カバー４は、筐体２の開口部３を覆うカバー本体５と、カバー本体５の下部の裏面側から延設された延設部６を備える。延設部６には、係止部９と突起部１０が設けられる。突起部１０は、延設部６を挟んで係止部９の反対側に配置される。開口部３には、延設部６が挿入される挿入口１４が形成され、挿入口１４から奥の筐体２の内壁には、被係止部１５が設けられ、挿入口１４から奥の筐体２の上壁には、段差部１６が設けられる。カバー４を開いた状態では、係止部９が被係止部１５に係止され、突起部１０が段差部１６に係止される。【選択図】  図１
2018142621.tif 000002
【特許請求の範囲】
【請求項１】
筐体にある開口部をカバーで開閉するカバー開閉機構であって、
前記カバーは、前記開口部を覆うカバー本体と、前記カバー本体の下部の裏面側から延設された延設部とを備え、前記延設部には、係止部と、前記延設部を挟んで前記係止部の反対側に配置される突起部とが設けられ、
前記筐体の前記開口部には、前記延設部が挿入される挿入口が形成され、前記挿入口から奥の前記筐体の内壁には、被係止部が設けられ、前記挿入口から奥の前記筐体の上壁には、段差部が設けられており、
前記カバーを開いた状態では、前記係止部が前記被係止部に係止され、前記突起部が前記段差部に係止されることを特徴とするカバー開閉機構。
【請求項２】
前記延設部は、前記カバーを開いたときに前記挿入口から引き出された状態となり、
前記延設部の先端には、左右一対の突出部が左右外側に向けて突設され、
前記突出部が設けられた位置における前記延設部の先端の左右方向の幅は、前記挿入口の左右方向の幅と等しく設定されている、請求項１に記載のカバー開閉機構。
【請求項３】
前記挿入口の上下方向の幅は、前記延設部の先端の上下方向の幅より大きく設定されており、
前記挿入口から奥の前記筐体の上面には、前記挿入口の下部に向けて傾斜するテーパ面が形成されている、請求項１または請求項２に記載のカバー開閉機構。
【請求項４】
前記挿入口から奥の前記筐体の内壁には、前記カバーを閉じた状態で前記延設部に沿って当接する傾斜面を有する傾斜リブが設けられており、
前記開口部の表面を基準としたときの前記傾斜面の傾斜角度が、前記カバー本体の表面を基準としたときの前記延設部の屈曲角度より小さく設定されている、請求項１〜請求項３のいずれか一項に記載のカバー開閉機構。
【請求項５】
前記カバー本体の上部には、前記カバーを閉じた状態で前記開口部に設けられた左右一対の係止凹部に係止する左右一対の係止爪が設けられ、
左側の前記係止爪の左端と右側の前記係止爪の右端との間の左右方向の幅は、左側の前記係止凹部の左端と右側の前記係止凹部の右端との間の左右方向の幅と等しく設定されており、
前記延設部には、前記カバーを閉じた状態で前記挿入口に接触する位置に、左右一対の凸部が左右外側に向けて突設され、
前記凸部が設けられた位置における前記延設部の左右方向の幅は、前記挿入口の左右方向の幅と等しく設定されている、請求項１〜請求項４のいずれか一項に記載のカバー開閉機構。
【請求項６】
前記カバー本体には、上下一対の第２凸部が上下外側に向けてそれぞれ突設され、
前記上下一対の第２凸部は、前記カバー本体の上部と下部において左右両側に配置されており、
前記第２凸部が設けられた位置における前記カバー本体の上下方向の幅は、前記開口部の上下方向の幅と等しく設定されている、請求項１〜請求項５のいずれか一項に記載のカバー開閉機構。
【請求項７】
請求項１乃至請求項６のいずれか一項に記載のカバー開閉機構を有する車載機器。
【発明の詳細な説明】
【技術分野】
【０００１】
本発明は、筐体にある開口部をカバーで開閉するカバー開閉機構に関する。
【背景技術】
【０００２】
従来から、筐体の開口部をカバーで開閉するカバー開閉機構が提案されている。例えば、従来のカバー開閉機構では、開口を覆うカバー本体の裏面に弾性変形可能な長板状の支持体が垂立して設けられ、開口に接近して支持体が挿通される挿通孔が形成される。挿通孔には、挿通孔の内面に突出して設けられた突出部と、突出部に対向した位置に挿通孔の内面から後退した後退部とが設けられ、支持体には、支持体の長手方向に延在して形成され突出部に係合するガイド用溝が設けられる。カバーの支持体の先端を挿通孔に押し込んで弾性的に変形させ突出部をガイド用溝に係合させることで、カバー本体が開口に取り付けられる（特許文献１参照）。
【先行技術文献】
【特許文献】
【０００３】
【特許文献１】特開２０１２−１５１４１号公報
【発明の概要】
【発明が解決しようとする課題】
【０００４】
従来のカバー開閉機構においては、カバーを開いた状態で、挿入孔の内部の突出部にカバーの支持体の膨出部が当接（あるいは係合）するようにして、支持体が挿入孔から不用意に抜き取られることを防止している。しかしながら、カバー（カバーの支持体）が弾性的に変形できるものである場合には、上記従来のような当接（あるいは係合）のみでは、筐体からカバーが意図せずに抜き取られるのを十分に防止することができないという問題があった。
【０００５】
本発明は、上記の課題に鑑みてなされたもので、筐体からカバーが意図せずに抜き取られるのを防止する機能を向上したカバー開閉機構を提供することを目的とする。
【課題を解決するための手段】
【０００６】
本発明のカバー開閉機構は、筐体にある開口部をカバーで開閉するカバー開閉機構であって、前記カバーは、前記開口部を覆うカバー本体と、前記カバー本体の下部の裏面側から延設された延設部とを備え、前記延設部には、係止部と、前記延設部を挟んで前記係止部の反対側に配置される突起部とが設けられ、前記筐体の前記開口部には、前記延設部が挿入される挿入口が形成され、前記挿入口から奥の前記筐体の内壁には、被係止部が設けられ、前記挿入口から奥の前記筐体の上壁には、段差部が設けられており、前記カバーを開いた状態では、前記係止部が前記被係止部に係止され、前記突起部が前記段差部に係止される。
【０００７】
この構成によれば、カバーを開いた状態にすると、カバー（カバーの延設部）の係止部が筐体（挿入口の奥の内壁）の被係止部に係止されるとともに、カバー（カバーの延設部）の突起部が筐体（挿入口の奥の上壁）の段差部に係止される。これにより、カバー（カバーの延設部）が弾性的に変形できるものである場合であっても、カバーを開いたときに筐体からカバーが意図せずに抜き取られるのを防ぐことができる。
【０００８】
また、本発明のカバー開閉機構では、前記延設部は、前記カバーを開いたときに前記挿入口から引き出された状態となり、前記延設部の先端には、左右一対の突出部が左右外側に向けて突設され、前記突出部が設けられた位置における前記延設部の先端の左右方向の幅は、前記挿入口の左右方向の幅と等しく設定されてもよい。
【０００９】
この構成によれば、カバーを開いた状態にする（カバーの延設部を筐体の挿入口から引き出した状態にする）と、突出部が設けられた位置で延設部の先端が挿入口に左右方向で適嵌する。これにより、カバーを開いた状態におけるカバーのガタ付きを防ぐことができる。
【００１０】
また、本発明のカバー開閉機構では、前記挿入口の上下方向の幅は、前記延設部の先端の上下方向の幅より大きく設定されており、前記挿入口から奥の前記筐体の上面には、前記挿入口の下部に向けて傾斜するテーパ面が形成されてもよい。
【００１１】
この構成によれば、カバーの延設部の先端の上下方向の幅より挿入口の上下方向の幅のほうが大きく設定されているので、カバーの延設部の先端を挿入口に挿入しやすくなる。さらに、挿入口の上面にテーパ面（挿入口の下部に向けて傾斜している）が形成されているので、挿入口に挿入されたカバーの延設部（挿入口の下部の筐体の内壁に沿うように屈曲している）が案内される。これにより、カバーの延設部を筐体の挿入口に容易に挿入することができる。
【００１２】
また、本発明のカバー開閉機構では、前記挿入口から奥の前記筐体の内壁には、前記カバーを閉じた状態で前記延設部に沿って当接する傾斜面を有する傾斜リブが設けられており、前記開口部の表面を基準としたときの前記傾斜面の傾斜角度が、前記カバー本体の表面を基準としたときの前記延設部の屈曲角度より大きく設定されている。
【００１３】
この構成によれば、カバーを閉じた状態にすると、傾斜リブの傾斜面が延設部に沿って当接するようになる。このとき、傾斜面の傾斜角度が延設部の屈曲角度より大きく設定されているので、カバーの下部では、傾斜面により延設部（傾斜面に沿って当接している延設部）を奥方向に倒そうとする力が加えられ、その結果、カバーの上部では、カバーを閉じようとする力が加えられる。これにより、カバーを閉じる方向に力（引き込み力）が加えられ、意図しない外力でカバーが開いてしまうのを防ぐことができる。
【００１４】
また、本発明のカバー開閉機構では、前記カバー本体の上部には、前記カバーを閉じた状態で前記開口部に設けられた左右一対の係止凹部に係止する左右一対の係止爪が設けられ、左側の前記係止爪の左端と右側の前記係止爪の右端との間の左右方向の幅は、左側の前記係止凹部の左端と右側の前記係止凹部の右端との間の左右方向の幅と等しく設定されており、前記延設部には、前記カバーを閉じた状態で前記挿入口に接触する位置に、左右一対の凸部が左右外側に向けて突設され、前記凸部が設けられた位置における前記延設部の左右方向の幅は、前記挿入口の左右方向の幅と等しく設定されてもよい。
【００１５】
この構成によれば、カバーを閉じた状態にしたときに、係止爪が係止凹部に係止される。これにより、意図しない外力でカバーが開いてしまうのを防ぐことができる。さらに、カバーを閉じた状態にすると、カバー本体の上部の左右一対の係止爪が係止凹部に左右方向で適嵌するとともに、カバー本体の下部の延設部の左右一対の凸部が挿入口に左右方向で適嵌する。これにより、カバーを閉じた状態におけるカバーの左右方向のガタ付きを防ぐことができる。
【００１６】
前記カバー本体には、上下一対の第２凸部が上下外側に向けてそれぞれ突設され、前記上下一対の第２凸部は、前記カバー本体の上部と下部において左右両側に配置されており、前記第２凸部が設けられた位置における前記カバー本体の上下方向の幅は、前記開口部の上下方向の幅と等しく設定されてもよい。
【００１７】
この構成によれば、カバーを閉じた状態にすると、カバー本体の左右両側で、第２凸部が設けられた位置でカバー本体が開口部に上下方向で適嵌する。これにより、カバーを閉じた状態におけるカバーの上下方向のガタ付きを防ぐことができる。
【発明の効果】
【００１８】
本発明によれば、筐体からカバーが意図せずに抜き取られるのを防止する機能を向上することができる。
【図面の簡単な説明】
【００１９】
【図１】本発明の実施の形態におけるカバー開閉機構が適用される車載機器の斜視図。
【図２】本発明の実施の形態におけるカバーの斜視図。
【図３】本発明の実施の形態におけるカバーの斜視図。
【図４】本発明の実施の形態におけるカバーの裏側の斜視図。
【図５】本発明の実施の形態における筐体の裏側の斜視図。
【図６】本発明の実施の形態におけるカバー開閉機構（カバーを閉じた状態）の正面図。
【図７】本発明の実施の形態におけるカバー開閉機構（カバーを閉じた状態）の上部の断面図。
【図８】本発明の実施の形態におけるカバー開閉機構（カバーを閉じた状態）の下部の断面図。
【図９】本発明の実施の形態におけるカバー開閉機構（カバーを閉じた状態）の側断面図。
【図１０】本発明の実施の形態におけるカバー開閉機構（カバーを閉じた状態）の側断面図。
【図１１】本発明の実施の形態におけるカバー開閉機構（カバーを開いた状態）の側断面図。
【図１２】本発明の実施の形態におけるカバー開閉機構（カバーを開いた状態）の断面図。
【発明を実施するための形態】
【００２０】
以下、本発明の実施の形態のカバー開閉機構について、図面を用いて説明する。本実施の形態では、車載機器等に用いられるカバー開閉機構の場合を例示する。
【００２１】
本発明の実施の形態のカバー開閉機構の構成を、図面を参照して説明する。図１は、本実施の形態のカバー開閉機構が適用される車載機器の斜視図である。車載機器は、例えばカーオーディオ装置やカーナビゲーション装置などである。図１に示すように、車載機器１の筐体２の開口部３にはカバー４が開閉可能に取り付けられている。車載機器１には、音声接続ケーブルが接続される音声出力端子（ＡＵＸ端子）やＵＳＢケーブルが接続されるＵＳＢ端子が内蔵されており、カバー４を開けるとこれらの端子と各ケーブルを接続できるようになる。なお、車載機器１の筐体２は、硬質の樹脂材料（例えば、ＰＣ、ＡＢＳ、ＡＢＳ／ＰＣなど）を用いて製造されている。一方、カバー４は、軟質の樹脂材料（例えば、エラストマーなど）を用いて製造されており、弾性的に変形可能である。
【００２２】
まず、図２〜図４を参照して、カバー４の構成について説明する。図２〜図４は、本実施の形態のカバー４の斜視図である。図２〜図４に示すように、カバー４は、開口部３を覆うカバー本体５と、カバー本体５の下部の裏面側から延設された延設部６を備えている。本実施の形態では、筐体２の開口部３の形状が、正面視で略長方形とされており、カバー本体５の形状は、開口部３の形状に対応して正面視で略長方形とされている。また、カバー本体５の上部には、中央部分にカバー４を開くときに手がかりとなる取手部７が形成されている。さらに、カバー本体５の上部には、左右一対の係止爪８が設けられている。この係止爪８は、取手部７の左右両側に配置されている（図２参照）。
【００２３】
延設部６の先端には、係止部９と突起部１０が設けられている。突起部１０は、延設部６を挟んで係止部９の反対側に設けられている。より具体的には、カバー本体５の表面（おもて面）側に対応する面に、左右一対のフック形状の係止部９が設けられ（図２および図３参照）、カバー本体５の裏面側に対応する面に、一条の凸形状の突起部１０が設けられている（図４参照）。また、延設部６の先端には、左右一対の突出部１１が左右外側に向けて突設されている（図２〜図４参照）。突出部１１が設けられた位置における延設部６の先端の左右方向の幅Ｗ１は、延設部６が挿入される挿入口１４の左右方向の幅と等しく設定されている（図１２参照）。
【００２４】
さらに、延設部６の根端には、左右一対の凸部１２が左右外側に向けて突設されている（図４参照）。延設部６の根端の凸部１２が設けられた位置は、カバー４を閉じたときに挿入口１４に接触する位置である。この凸部１２が設けられた位置（カバー４を閉じたときに挿入口１４に接触する位置）における延設部６の左右方向の幅Ｗ２は、挿入口１４の左右方向の幅と同じに設定されている（図８参照）。
【００２５】
また、カバー本体５には、上下一対の第２凸部１３が上下外側に向けてそれぞれ突設されている。上下一対の第２凸部１３は、カバー本体５の上部と下部において左右両側に配置されている（図２〜図４参照）。そして、第２凸部１３が設けられた位置におけるカバー本体５の上下方向の幅Ｗ３は、開口部３の上下方向の幅と等しく設定されている（図６参照）。
【００２６】
つぎに、図５を参照して、筐体２の開口部３の構成について説明する。図５は、本実施の形態の筐体２を裏側からみたときの斜視図である。図５に示すように、筐体２の開口部３には、延設部６が挿入される挿入口１４が形成されている（図９および図１１も参照）。そして、挿入口１４から奥の筐体２の内壁には、被係止部１５が設けられ、挿入口１４から奥の筐体２の上壁には、段差部１６が設けられている（図１１参照）。この場合、被係止部１５は、挿入口１４の下側（図１１における下側）に設けられており、カバー４を開いた状態で、係止部９が被係止部１５に係止され、突起部１０が段差部１６に係止されるように構成されている。
【００２７】
また、挿入口１４から奥の筐体２の上面には、挿入口１４の下部に向けて傾斜するテーパ面１７が形成されている（図１１参照）。この場合、テーパ面１７は段差部１６より手前（挿入口１４）側に配置されている。また、挿入口１４の上下方向の幅Ｗ４は、延設部６の先端の上下方向の幅Ｗ０より大きく設定されている（図１１参照）。
【００２８】
さらに、挿入口１４から奥の筐体２の内壁には、カバー４を閉じた状態で延設部６に沿って当接する傾斜面１８を有する傾斜リブ１９が設けられている。傾斜面１８の傾斜角度は、延設部６の屈曲角度より小さく設定されている。傾斜面１８の傾斜角度は、筐体２または開口部３の表面（おもて面）を基準面としたときに、その基準面に対して傾斜面１８が傾斜している角度であり、延設部６の屈曲角度は、カバー本体５の表面（おもて面）を基準面としたときに、その基準面に対して延設部６が屈曲している角度（鋭角）である。
【００２９】
また、開口部３の上部には、左右一対の係止凹部２０が設けられており、カバー４を閉じた状態で、カバー本体５の左右一対の係止爪８が左右一対の係止凹部２０にそれぞれ係止するように構成されている（図７参照）。この場合、左側の係止爪８の左端と右側の係止爪８の右端との間の左右方向の幅Ｗ５は、左側の係止凹部２０の左端と右側の係止凹部２０の右端との間の左右方向の幅と同じに設定されている（図７参照）。
【００３０】
以上のように構成されたカバー開閉機構について、図面を参照してその動作を説明する。
【００３１】
＜カバーの取付け＞
まず、カバー４の取付けについて説明する。カバー４を開口部３に取り付ける場合には、カバー４の延設部６を筐体２の開口部３の挿入口１４にに挿入する。この場合、挿入口１４の上下方向の幅Ｗ４のほうがカバー４の延設部６の先端の上下方向の幅Ｗ０より大きく設定されているので、カバー４の延設部６の先端を挿入口１４に挿入しやすくなる（図１１参照）。さらに、挿入口１４の上面にテーパ面１７が形成されているので、挿入口１４に挿入されたカバー４の延設部６が案内される。
【００３２】
＜カバーを閉じた状態＞
つぎに、図６〜図１０を参照して、カバー４を閉じた状態について説明する。カバー４を閉じた状態では、カバー本体５の上部の左右一対の係止爪８が開口部３の上部の左右一対の係止凹部２０にそれぞれ係止する（図７参照）。この場合、左側の係止爪８の左端と右側の係止爪８の右端との間の左右方向の幅Ｗ５が、左側の係止凹部２０の左端と右側の係止凹部２０の右端との間の左右方向の幅と等しく設定されているので、カバー４を閉じた状態にしたときに、カバー本体５の上部の左右一対の係止爪８が係止凹部２０に左右方向で適嵌する（図７参照）。
【００３３】
また、延設部６の根端（凸部１２が設けられた位置）の左右方向の幅Ｗ２が、挿入口１４の左右方向の幅と等しく設定されているので、カバー４を閉じた状態にしたときに、カバー本体５の下部の延設部６の左右一対の凸部１２が挿入口１４に左右方向で適嵌する（図８参照）。
【００３４】
また、第２凸部１３が設けられた位置におけるカバー本体５の上下方向の幅Ｗ３が、開口部３の上下方向の幅と等しく設定されているので、カバー４を閉じた状態にすると、カバー本体５の左右両側で、第２凸部１３が設けられた位置でカバー本体５が開口部３に上下方向で適嵌する（図６参照）。
【００３５】
さらに、カバー４を閉じた状態にすると、傾斜リブ１９の傾斜面１８が延設部６に沿って当接するようになる。このとき、傾斜面１８の傾斜角度が延設部６の屈曲角度より大きく設定されているので、カバー４の下部では、傾斜面１８により延設部６（傾斜面１８に沿って当接している延設部６）を奥方向に倒そうとする力が加えられ、その結果、カバー４の上部では、カバー４を閉じようとする力が働く。
【００３６】
＜カバーを開いた状態＞
続いて、図１１および図１２を参照しながら、カバー４を開いた状態について説明する。カバー４を開いた状態にすると、延設部６が挿入口１４から引き出された状態になる（図１１参照）。このとき、係止部９が被係止部１５に係止されるとともに、突起部１０が段差部１６に係止される。
【００３７】
また、突出部１１が設けられた位置における延設部６の先端の左右方向の幅Ｗ１は、挿入口１４の左右方向の幅と等しく設定されているので、カバー４を開いた状態にすると、突出部１１が設けられた位置で延設部６の先端が挿入口１４に左右方向で適嵌する（図１２参照）。
【００３８】
このような本実施の形態のカバー開閉機構によれば、図１１に示すように、カバー４を開いた状態にすると、カバー４（カバー４の延設部６）の係止部９が筐体２（挿入口１４の奥の内壁）の被係止部１５に係止されるとともに、カバー４（カバー４の延設部６）の突起部１０が筐体２（挿入口１４の奥の上壁）の段差部１６に係止される。これにより、カバー４（カバー４の延設部６）が弾性的に変形できるものである場合であっても、カバー４を開いたときに筐体２からカバー４が意図せずに抜き取られるのを防ぐことができる。
【００３９】
また、本実施の形態では、図１２に示すように、カバー４を開いた状態にする（カバー４の延設部６を筐体２の挿入口１４から引き出した状態にする）と、突出部１１が設けられた位置で延設部６の先端が挿入口１４に左右方向で適嵌する。これにより、カバー４を開いた状態におけるカバー４のガタ付きを防ぐことができる。なお、段差部１６にて金型の合わせ面を構成することにより、段差１６先端がエッジとなり、抜き取り防止の効果を上げることができる。
【００４０】
また、本実施の形態では、図１１に示すように、カバー４の延設部６の先端の上下方向の幅Ｗ０より挿入口１４の上下方向の幅Ｗ４のほうが大きく設定されているので、カバー４の延設部６の先端を挿入口１４に挿入しやすくなる。さらに、挿入口１４の上面にテーパ面１７（挿入口１４の下部に向けて傾斜している）が形成されているので、挿入口１４に挿入されたカバー４の延設部６（挿入口１４の下部の筐体２の内壁に沿うように屈曲している）が案内される。これにより、カバー４の延設部６を筐体２の挿入口１４に容易に挿入することができる。
【００４１】
また、本実施の形態では、図９に示すように、カバー４を閉じた状態にすると、傾斜リブ１９の傾斜面１８が延設部６に沿って当接するようになる。このとき、傾斜面１８の傾斜角度が延設部６の屈曲角度より大きく設定されているので、カバー４の下部では、傾斜面１８により延設部６（傾斜面１８に沿って当接している延設部６）を奥方向に倒そうとする力が加えられ、その結果、カバー４の上部では、カバー４を閉じようとする力が加えられる。これにより、カバー４を閉じる方向に力（引き込み力）が加えられ、意図しない外力でカバー４が開いてしまうのを防ぐことができる。
【００４２】
また、本実施の形態では、図７に示すように、カバー４を閉じた状態にしたときに、係止爪８が係止凹部２０に係止される。これにより、意図しない外力でカバー４が開いてしまうのを防ぐことができる。さらに、カバー４を閉じた状態にすると、カバー本体５の上部の左右一対の係止爪８が係止凹部２０に左右方向で適嵌するとともに、カバー本体５の下部の延設部６の左右一対の凸部１２が挿入口１４に左右方向で適嵌する。これにより、カバー４を閉じた状態におけるカバー４の左右方向のガタ付きを防ぐことができる。
【００４３】
また、本実施の形態では、図６に示すように、カバー４を閉じた状態にすると、カバー本体５の左右両側で、第２凸部１３が設けられた位置でカバー本体５が開口部３に上下方向で適嵌する。これにより、カバー４を閉じた状態におけるカバー４の上下方向のガタ付きを防ぐことができる。
【００４４】
以上、本発明の実施の形態を例示により説明したが、本発明の範囲はこれらに限定されるものではなく、請求項に記載された範囲内において目的に応じて変更・変形することが可能である。
【産業上の利用可能性】
【００４５】
以上のように、本発明にかかるカバー開閉機構は、筐体からカバーが意図せずに抜き取られるのを防止する機能を向上することができるという効果を有し、車載機器等に用いられ有用である。
【符号の説明】
【００４６】
１  車載機器
２  筐体
３  開口部
４  カバー
５  カバー本体
６  延設部
７  取手部
８  係止爪
９  係止部
１０  突起部
１１  突出部
１２  凸部
１３  第２凸部
１４  挿入口
１５  被係止部
１６  段差部
１７  テーパ面
１８  傾斜面
１９  傾斜リブ
２０  係止凹部
【図１】
2018142621.tif 000003
【図２】
2018142621.tif 000004
【図３】
2018142621.tif 000005
【図４】
2018142621.tif 000006
【図５】
2018142621.tif 000007
【図６】
2018142621.tif 000008
【図７】
2018142621.tif 000009
【図８】
2018142621.tif 000010
【図９】
2018142621.tif 000011
【図１０】
2018142621.tif 000012
【図１１】
2018142621.tif 000013
【図１２】
2018142621.tif 000014